(57)【特許請求の範囲】
【請求項１】
気温又は日射を介して栽培対象の農産物の葉に与えられる熱エネルギー量を温度データとして少なくとも計測する気候センサと、
水源から供給される水を用いて前記培地に対する灌水を行う灌水機構と、
前記農産物の種類及び前記培地の設けられる地域に応じて日の出から日没までの間に実行するべき灌水の頻度を季節に応じて規定する栽培指針情報であって、温度が高いほど灌水の頻度が高く定められた栽培指針情報にしたがって日の出から日没までの間に複数回の灌水が行われるように前記灌水機構を制御する第１のコントローラと、を含み、
前記第１のコントローラは、
前記地域における日の出の時刻以降、農産物の育成について予め定められた適正温度帯内の温度を表す温度データが前記気候センサにより計測された時点で１回目の灌水を前記灌水機構に実行させる第１のステップと、
２回目以降の灌水を前記灌水機構に実行させるステップであって、前記適正温度帯を分割して得られる複数の温度帯の各々について灌水の終了から次の灌水の開始までの時間区間である灌水間隔を前記栽培指針情報にしたがって温度帯毎に設定し、各温度帯の経過時間を前記気候センサにより計測される温度データの表す温度を参照しつつタイマにより計測し、前記複数の温度帯の各々に対して設定された各灌水間隔に応じて定まる複数の灌水タイミングのうちで最も早く到来した灌水タイミングに応じて前記灌水機構に灌水を実行させるとともに、前記タイマをリセットする処理を、日没まで繰り返す第２のステップと、を実行する
ことを特徴とする栽培支援システム。
【請求項２】
前記灌水機構は、前記水源から供給される水に液肥を混入する液肥混入器を含む、請求項１に記載の栽培支援システム。
【請求項３】
単位体積の水に対して前記液肥混入器により混入する液肥の量を前記気候センサにより計測される温度データの表す温度に応じて調整する第２のコントローラを有する、請求項２に記載の栽培支援システム。
【請求項４】
単位体積の水に対して前記液肥混入器により混入する液肥の量を灌水タイミングの属する時間帯に応じて調整する第２のコントローラを有する、請求項２に記載の栽培支援システム。
【請求項５】
雨センサを含み、
前記第１のコントローラは、
一回当たりの灌水量を前記雨センサによる計測結果に応じて調整する、請求項１〜４のいずれか１項に記載の栽培支援システム。
【請求項６】
前記第１のコントローラは、
前記気候センサにより計測された温度データの表す温度の積算値から前記農産物の生育段階を推定し、推定された生育段階に応じて灌水の頻度を調整する、請求項１〜５のいずれか１項に記載の栽培支援システム。
【請求項７】
水源から供給される水を用いて培地に対する灌水を行う灌水機構を、農産物の種類及び前記培地の設けられる地域に応じて日の出から日没までの間に実行するべき灌水の頻度を季節に応じて規定する栽培指針情報であって、温度が高いほど灌水の頻度が高く定められた栽培指針情報にしたがって日の出から日没までの間に複数回の灌水が行われるように制御するコントローラであって、
前記地域における日の出の時刻以降、気温又は日射を介して前記農産物の葉に与えられる熱エネルギー量を温度データとして少なくとも計測する気候センサにより、農産物の育成について予め定められた適正温度帯内の温度を表す温度データが計測された時点で、１回目の灌水を前記灌水機構に実行させる第１のステップと、
２回目以降の灌水を前記灌水機構に実行させるステップであって、前記適正温度帯を分割して得られる複数の温度帯の各々について灌水の終了から次の灌水の開始までの時間区間である灌水間隔を前記栽培指針情報にしたがって温度帯毎に設定し、各温度帯の経過時間を前記気候センサにより計測される温度データの表す温度を参照しつつタイマにより計測し、前記複数の温度帯の各々に対して設定された各灌水間隔に応じて定まる複数の灌水タイミングのうちで最も早く到来した灌水タイミングに応じて前記灌水機構に灌水を実行させるとともに、前記タイマをリセットする処理を、日没まで繰り返す第２のステップと、を実行する
ことを特徴とするコントローラ。
【請求項８】
水源から供給される水を用いて培地に対する灌水を行う灌水機構を、農産物の種類及び前記培地の設けられる地域に応じて日の出から日没までの間に実行するべき灌水の頻度を季節に応じて規定する栽培指針情報であって、温度が高いほど灌水の頻度が高く定められた栽培指針情報にしたがって日の出から日没までの間に複数回の灌水が行われるように制御するための制御方法であって、
前記地域における日の出の時刻以降、気温又は日射を介して前記農産物の葉に与えられる熱エネルギー量を温度データとして少なくとも計測する気候センサにより、農産物の育成について予め定められた適正温度帯内の温度を表す温度データが計測された時点で、１回目の灌水を前記灌水機構に実行させる第１のステップと、
２回目以降の灌水を前記灌水機構に実行させるステップであって、前記適正温度帯を分割して得られる複数の温度帯の各々について灌水の終了から次の灌水の開始までの時間区間である灌水間隔を前記栽培指針情報にしたがって温度帯毎に設定し、各温度帯の経過時間を前記気候センサにより計測される温度データの表す温度を参照しつつタイマにより計測し、前記複数の温度帯の各々に対して設定された各灌水間隔に応じて定まる複数の灌水タイミングのうちで最も早く到来した灌水タイミングに応じて前記灌水機構に灌水を実行させるとともに、前記タイマをリセットする処理を、日没まで繰り返す第２のステップと、を実行する
ことを特徴とする制御方法。
【発明の詳細な説明】
【技術分野】
【０００１】
本発明は、栽培支援システム、コントローラ及び制御方法に関する。
【背景技術】
【０００２】
野菜や果物、穀物などの農産物の生産者は、品質の高い生産物を大量に収穫できるようにするために、農業試験場や農業技術センタなどの研究機関から提供される栽培指針にしたがって農産物を栽培することが一般的である。栽培指針とは、品質の高い生産物を大量に収穫できるようにするための灌水や施肥のタイミング等の所謂「農産物を栽培する際の勘」を、栽培する品種、栽培する地域、及び栽培する時期毎に文書化したものである。また、農産物の栽培を支援するための技術が種々提案されており、その一例としては特許文献１に開示の技術が挙げられる。特許文献１には、植物の栽培に必要な養液の給液量を、時刻により又は時刻に係わりなく光合成に必要な光線量及び根の呼吸で消費する溶存酸素量などの消長に応じ調整し、栽培ベットに供給する、養液栽培植物の肥培管理技術が開示されている。
【先行技術文献】
【特許文献】
【０００３】
【特許文献１】特開平２−２７３１２９号公報
【発明の概要】
【発明が解決しようとする課題】
【０００４】
しかし、栽培指針にしたがって農産物の栽培を行っても、根腐れが起きたり、しおれが出たり、病気で枯れたりする等により、期待した収穫量を得られない場合や、高い品質の生産物を得られない場合があった。農産物の生産者は、栽培指針に定められている灌水や施肥のタイミング等を試行錯誤的にずらして行う等で対処しようとするが、かえって状況を悪化させる場合がある。根腐れやしおれ、病気が発生する原因は日々変化する天候や気温に適応した灌水及び施肥ができていないことと考えられる。
【０００５】
本発明は上述した事情に鑑みてなされたものであり、気温又は日射を介して栽培対象の農産物の葉に与えられる熱エネルギー量を温度データとし、少なくともその温度データを加味して農産物の栽培支援を行うことを可能にする技術を提供することを目的とする。
【課題を解決するための手段】
【０００６】
上記課題を解決するために本発明は、気温又は日射を介して栽培対象の農産物の葉に与えられる熱エネルギー量を温度データとして少なくとも計測する気候センサと、水源から供給される水を用いて前記培地に対する灌水を行う灌水機構と、前記農産物の種類及び前記培地の設けられる地域に応じて日の出から日没までの間に実行するべき灌水の頻度を季節に応じて規定する栽培指針情報であって、温度が高いほど灌水の頻度が高く定められた栽培指針情報にしたがって日の出から日没までの間に複数回の灌水が行われるように前記灌水機構を制御する第１のコントローラと、を含み、前記第１のコントローラは、前記地域における日の出の時刻以降、農産物の育成について予め定められた適正温度帯内の温度を表す温度データが前記気候センサにより計測された時点で１回目の灌水を前記灌水機構に実行させる第１のステップと、２回目以降の灌水を前記灌水機構に実行させるステップであって、前記適正温度帯を分割して得られる複数の温度帯の各々について灌水の終了から次の灌水の開始までの時間区間である灌水間隔を前記栽培指針情報にしたがって温度帯毎に設定し、各温度帯の経過時間を前記気候センサにより計測される温度データの表す温度を参照しつつタイマにより計測し、前記複数の温度帯の各々に対して設定された各灌水間隔に応じて定まる複数の灌水タイミングのうちで最も早く到来した灌水タイミングに応じて前記灌水機構に灌水を実行させるとともに、前記タイマをリセットする処理を、日没まで繰り返す第２のステップと、を実行することを特徴とする栽培支援システムを提供する。本発明によれば、栽培対象の農産物の葉に与えられる熱エネルギー量を温度データとし、当該農産物に対する灌水の頻度を当該温度データの表す温度に応じて調整することが可能になり、少なくとも温度を加味して農産物の栽培支援を行うことが可能になる。
【０００７】
より好ましい態様においては、前記灌水機構は、前記水源から供給される水に液肥を混入する液肥混入器を含む、ことを特徴とする。本態様によれば、栽培対象の農産物に対する灌水の頻度を温度に応じて調整することが可能になるとともに、灌水と同時に農産物に対する施肥を行うことが可能になる。
【０００８】
さらに好ましい態様においては、単位体積の水に対して前記液肥混入器により混入する液肥の量を前記気候センサにより計測される温度データの表す温度に応じて調整する第２のコントローラを有する、ことを特徴とする。本態様によれば、栽培対象の農産物に対する灌水の頻度を温度に応じて調整することが可能になるとともに、単位体積の水に混入する液肥の量、すなわち肥料濃度を温度に応じて調整しつつ施肥を行うことが可能になる。
【０００９】
別のさらに好ましい態様においては、単位体積の水に対して前記液肥混入器により混入する液肥の量を灌水タイミングの属する時間帯に応じて調整する第２のコントローラを有することを特徴とする。本態様によれば、栽培対象の農産物に対する灌水の頻度を温度に応じて調整することが可能になるとともに、灌水を行う時間帯に応じて肥料濃度を調整しつつ施肥を行うことが可能になる。
【００１０】
より好ましい態様においては、雨センサを含み、前記第１のコントローラは、一回当たりの灌水量を前記雨センサによる計測結果に応じて調整する、ことを特徴とする。本態様によれば、栽培対象の農産物に対する灌水の頻度を温度に応じて調整することが可能になるとともに、一回当たりの灌水量を雨センサの計測結果に応じて調整することが可能になる。例えば、ハウス栽培の農産物の栽培支援に本発明を適用する場合には、上記雨センサとして感雨センサを用い、一回当たりの灌水量を雨の有無に応じて調整すればよい。また、露地栽培の農産物の栽培支援に本発明を適用する場合のように、雨量を考慮する必要がある場合には上記雨センサとして雨量センサを用い、一回当たりの灌水量を雨量に応じて調整すればよい。
【００１１】
より好ましい態様においては、前記第１のコントローラは、前記気候センサにより計測された温度データの表す温度の積算値から前記農産物の生育段階を推定し、推定された生育段階に応じて灌水の頻度を調整する、ことを特徴とする。本態様によれば、栽培対象の農産物に対する灌水の頻度を温度及び当該農産物の生育段階に応じて調整することが可能になる。
【００１２】
また、上記課題を解決するために本発明は、水源から供給される水を用いて培地に対する灌水を行う灌水機構を、農産物の種類及び前記培地の設けられる地域に応じて日の出から日没までの間に実行するべき灌水の頻度を季節に応じて規定する栽培指針情報であって、温度が高いほど灌水の頻度が高く定められた栽培指針情報にしたがって日の出から日没までの間に複数回の灌水が行われるように制御するコントローラであって、前記地域における日の出の時刻以降、気温又は日射を介して前記農産物の葉に与えられる熱エネルギー量を温度データとして少なくとも計測する気候センサにより、農産物の育成について予め定められた適正温度帯内の温度を表す温度データが計測された時点で、１回目の灌水を前記灌水機構に実行させる第１のステップと、２回目以降の灌水を前記灌水機構に実行させるステップであって、前記適正温度帯を分割して得られる複数の温度帯の各々について灌水の終了から次の灌水の開始までの時間区間である灌水間隔を前記栽培指針情報にしたがって温度帯毎に設定し、各温度帯の経過時間を前記気候センサにより計測される温度データの表す温度を参照しつつタイマにより計測し、前記複数の温度帯の各々に対して設定された各灌水間隔に応じて定まる複数の灌水タイミングのうちで最も早く到来した灌水タイミングに応じて前記灌水機構に灌水を実行させるとともに、前記タイマをリセットする処理を、日没まで繰り返す第２のステップと、を実行することを特徴とするコントローラ、を提供する。本発明によっても、栽培対象の農産物に対する灌水の頻度を温度に応じて調整することが可能になる。
【００１３】
また、上記課題を解決するために本発明は、水源から供給される水を用いて培地に対する灌水を行う灌水機構を、農産物の種類及び前記培地の設けられる地域に応じて日の出から日没までの間に実行するべき灌水の頻度を季節に応じて規定する栽培指針情報であって、温度が高いほど灌水の頻度が高く定められた栽培指針情報にしたがって日の出から日没までの間に複数回の灌水が行われるように制御するための制御方法であって、前記地域における日の出の時刻以降、気温又は日射を介して前記農産物の葉に与えられる熱エネルギー量を温度データとして少なくとも計測する気候センサにより、農産物の育成について予め定められた適正温度帯内の温度を表す温度データが計測された時点で、１回目の灌水を前記灌水機構に実行させる第１のステップと、２回目以降の灌水を前記灌水機構に実行させるステップであって、前記適正温度帯を分割して得られる複数の温度帯の各々について灌水の終了から次の灌水の開始までの時間区間である灌水間隔を前記栽培指針情報にしたがって温度帯毎に設定し、各温度帯の経過時間を前記気候センサにより計測される温度データの表す温度を参照しつつタイマにより計測し、前記複数の温度帯の各々に対して設定された各灌水間隔に応じて定まる複数の灌水タイミングのうちで最も早く到来した灌水タイミングに応じて前記灌水機構に灌水を実行させるとともに、前記タイマをリセットする処理を、日没まで繰り返す第２のステップと、を実行することを特徴とする制御方法、を提供する。本発明によっても、栽培対象の農産物に対する灌水の頻度を温度に応じて調整することが可能になる。
【００１４】
本発明の別の態様としては、ＣＰＵ（Central Processing Unit）などの一般的なコンピュータに上記第１のステップと上記第２のステップとを実行させるプログラム、すなわち上記コンピュータを本発明のコントローラとして機能させるプログラムを提供する態様が考えられる。本態様によっても、栽培対象の農産物に対する灌水を、温度を加味して行うことが可能になる。なお、上記プログラムの具体的な提供態様としては、ＣＤ−ＲＯＭ（Compact Disk-Read Only Memory）又はフラッシュＲＯＭ（Read Only Memory）などのコンピュータ読み取り可能な記録媒体に上記プログラムを書き込んで配布する態様、又はインターネットなどの電気通信回線経由のダウンロードにより上記プログラムを配布する態様が考えられる。
【図面の簡単な説明】
【００１５】
【図１】本発明の第１実施形態による栽培支援システム１Ａの構成例を示す図である。
【図２】栽培支援システム１Ａに含まれる灌水制御コントローラ３０が実行する制御方法の流れを示すフローチャートである。
【図３】ハウス内の様々な場所に気温センサ１０を設置した場合に気候センサ１０により計測される温度変化の履歴の表示例を示す図である。
【図４】一日のうちの灌水起動回数の履歴の表示例を示す図である。
【図５】本発明の第２実施形態による栽培支援システム１Ｂの構成例を示す図である。
【発明を実施するための形態】
【００１６】
以下、図面を参照しつつ本発明の実施形態を説明する。
（Ａ：第１実施形態）
図１は、本発明の第１実施形態の栽培支援システム１Ａの構成例を示すブロック図である。栽培支援システム１Ａは、例えばトマトなどの農産物の養液栽培を支援するためのコンピュータシステムである。図１に示すように、栽培支援システム１Ａは、気候センサ１０と、灌水機構２０Ａと、灌水制御コントローラ３０と、を含む。気候センサ１０及び灌水機構２０Ａは、各々信号線を介して灌水制御コントローラ３０に接続されている。本実施形態では、気候センサ１０及び灌水機構２０Ａは灌水制御コントローラ３０に有線接続されているが、気候センサ１０及び灌水機構２０Ａは例えば無線ＬＡＮ（Local Area Network）を介して灌水制御コントローラ３０に無線接続されてもよい。
【００１７】
図１において符号ＣＦは、養液栽培における培地を指す。培地ＣＦは、農業用水を貯めたタンク等の水源ＷＳから水路ＷＣを介して供給される水であってもよく、またロックウールなど当該水を供給され固形培地であってもよい。培地ＣＦはビニールハウス等の温室内に設置されてもよく、また露天設置されてもよい。本実施形態では、農産物の養液栽培への本発明への適用例を説明するが、培地ＣＦとして土壌を用いる露地栽培の支援に本発明を適用しても勿論よい。
【００１８】
気候センサ１０は培地ＣＦの近傍に設けられる。気候センサ１０は、培地ＣＦの周辺の温度を検出する温度センサを少なくとも含む。より具体的には、気候センサ１０は、培地ＣＦがハウス内に設置される場合又は露天設置される場合には直射日光の影響を受ける位置に設置される必要があり、培地ＣＦが遮光環境に設置される場合には遮光下の日射量の影響を受ける位置に設置される必要がある。栽培対象の農産物の葉が気温又は日射を介して受ける熱エネルギー量を温度データとして計測するためである。気候センサ１０には、温度センサの他に、湿度を計測する湿度センサ、日射エネルギーを計測する日射センサ等が含まれてもよい。気候センサ１０は、計測した温度を示す温度データを灌水制御コントローラ３０に出力する。
【００１９】
灌水機構２０Ａは、水源ＷＳから培地ＣＦに至る水路ＷＣに設けられる。灌水機構２０Ａは、灌水制御コントローラ３０による制御の下、水路ＷＣを介して供給される水を用いて培地ＣＦに対して灌水を行う。図１に示すように、灌水機構２０Ａは、液肥混入器２１０Ａと、弁２２０と、を含む。液肥混入器２１０Ａは、水路ＷＣを介して供給される水に液肥を混入する。弁２２０は、灌水制御コントローラ３０によって開閉が切り替えられる。弁２２０が閉状態から開状態に切り替えられると、液肥混入器２１０Ａにより液肥を混入済みの水が培地ＣＦに供給される。
【００２０】
図１では詳細な図示を省略したが、液肥混入器２１０Ａは、水路ＷＣを介して水源ＷＳから水を引き込むポンプを含む。当該ポンプが水源ＷＳから引き込む単位時間（例えば、１分）当たりの水量は予め定められている。栽培支援システム１Ａのユーザは、単位体積（例えば、単位時間内にポンプが引き込む水量）の水に混入させる液肥の量（換言すれば、培地ＣＦに供給する水における肥料濃度）を液肥混入器２１０Ａに対して設定することができる。なお、栽培支援システム１Ａのユーザとは、栽培支援システム１Ａによる支援を受けつつ、培地ＣＦで農産物を栽培する生産者のことをいう。
【００２１】
詳細については後述するが本実施形態では、日の出から日没までの間に複数回の灌水が行われる。複数回の灌水の各々は以下の要領で行われる。液肥混入器２１０Ａは、弁２２０が閉状態から開状態に切り替えられるのに同期させて上記ポンプを作動させ、単位時間当たりに引き込まれる水に上記ユーザにより設定された量の液肥を混入させて放出する。これにより、１回分の灌水が開始される。そして、液肥混入器２１０Ａは、弁２２０が開状態から閉状態に切り替えられるのに同期させて上記ポンプを停止させる。これにより、１回分の灌水が終了する。以下では、１回の灌水の開始時刻から終了時刻までの時間を「灌水時間」と呼ぶ。本実施形態において、灌水機構２０Ａから培地ＣＦに供給される単位時間当たりの水の量は一定であるから、１回の灌水により培地ＣＦに供給される水の量は灌水時間の長さに応じて定まる。栽培支援システム１Ａのユーザは、後述する灌水制御コントローラ３０に対して灌水時間を設定することができる。また、以下では、灌水の終了時刻から次の灌水の開始時刻までの時間区間を「灌水間隔」と呼ぶ。
【００２２】
灌水制御コントローラ３０は、例えばパーソナルコンピュータ等のコンピュータ装置であり、灌水機構２０Ａを制御する第１のコントローラの一例である。図１では詳細な図示を省略したが、灌水制御コントローラ３０は、ＣＰＵと、ＲＡＭ（Random Access Memory）などの揮発性メモリと、ハードディスクなどの不揮発性メモリと、液晶ディスプレイ及びキーボードなどを含むユーザインタフェース部と、ＮＩＣ（Network Interface Card）などの通信インタフェース部と、を含む。灌水制御コントローラ３０の通信インタフェース部は、ルータ等の中継装置を介して電気通信回線ＮＷに接続されている。灌水制御コントローラ３０は、電気通信回線ＮＷに接続されている各種サーバ装置と電気通信回線ＮＷを介してデータ通信を行う。なお、本実施形態では、灌水制御コントローラ３０がパーソナルコンピュータである場合について説明するが、灌水制御コントローラ３０はＰＬＣ（Programmable Logic Controller）であってもよい。灌水制御コントローラ３０としてＰＬＣを用いる場合、データの保存先としてローカルではＳＤカードを用い、クラウドではクラウド上のデータベースサーバを用いるようにすればよく、保存したデーターの確認にはパーソナルコンピュータ、タブレット端末、スマートホン等を用いるようにすればよい。
【００２３】
電気通信回線ＮＷに接続されている各種サーバ装置の具体例としては、培地ＣＦが設けられている地域を管轄とする気象台等より運用管理され、当該地域における日の出の時刻及び日没時刻を示す情報を配信する第１のサーバ装置と、上記地域を管轄とする農業試験センタ等により運用管理され、栽培指針を表す栽培指針情報を配信する第２のサーバ装置とが挙げられる。栽培指針情報では、栽培対象の農産物の種類及び培地の設けられる地域に応じて日の出から日没までの間に実行するべき灌水の回数が季節に応じて規定されている。植物の生育制御理論では、植物の生育速度は気温又は日射を介して葉に与えられる熱エネルギー量（換言すれば、温度）により大きく変わると言われており、栽培指針はこの生育制御理論に基づいて定められていることが一般的である。育成速度が速いほど高い頻度で灌水を行うことが好ましい。このため、栽培指針情報では、温度が高いほど灌水回数が多く定められている。
【００２４】
灌水制御コントローラ３０は、電気通信回線ＮＷを介してデータ通信により、培地ＣＦが設けられている地域における日の出の時刻及び日没時刻を示す時刻情報を第１のサーバ装置から取得する。また、灌水制御コントローラ３０は、電気通信回線ＮＷを介してデータ通信により、栽培対象の農産物及び培地ＣＦが設けられている地域に対応する栽培指針情報を取得する。
【００２５】
灌水制御コントローラ３０の不揮発性メモリには、本発明の特徴を顕著に示す制御方法を実現する制御プログラムが予めインストールされている。灌水制御コントローラ３０の揮発性メモリは、制御プログラムを実行する際のワークエリアとして利用される。灌水制御コントローラ３０のＣＰＵは、ユーザインタフェース部を介して制御プログラムの実行指示を与えられると、制御プログラムを不揮発性メモリから揮発性メモリに読み出し、その実行を開始する。制御プログラムにしたがって作動している灌水制御コントローラ３０のＣＰＵは、栽培対象の農産物の品種及び培地ＣＦの設けられている地域の設定をユーザに促し、これらの設定が為されると該当する栽培指針情報を第２のサーバ装置から取得する。以降、灌水制御コントローラ３０のＣＰＵは、日毎に、日の出のよりも充分に前の時刻であると推測される所定の時刻（例えば、午前０時など）に時刻情報を第１のサーバ装置から日毎に取得し、上記制御方法を実行する。
【００２６】
図２は、上記制御方法の流れを示すフローチャートである。図２に示すように、この制御方法は、第１のステップＳＡ１００と、第２のステップＳＡ１１０と、を含む。第１のステップＳＡ１００及び第２のステップＳＡ１１０の各々の処理内容は次の通りである。
【００２７】
第１のステップＳＡ１００は、日の出の時刻に実行される処理である。この第１のステップＳＡ１００では、灌水制御コントローラ３０のＣＰＵは、気候センサ１０により計測された温度データの表す温度が農産物の育成について予め定められた適正温度帯内の温度であるか否かを判定する。上記適正温度帯は栽培対象の農産物の種類に応じて異なり得るが、例えば１０℃〜３０°Ｃの温度帯である。温帯の植物の生育適正温度は１０°Ｃ〜３０°Ｃの範囲内で最適値は２５°Ｃであると言われており、これは経験とも概ね一致する。このため、本実施形態では、栽培対象の農産物の育成についての適正温度帯は１０℃〜３０°Ｃの温度帯と定められている。
【００２８】
上記判定結果が“Ｙｅｓ”である場合には、灌水制御コントローラ３０のＣＰＵは、前述した灌水時間に亙って弁２２０を開状態にし、１回目の灌水を灌水機構２０Ａに実行させる。これに対して、判定結果が“Ｎｏ”である場合には、灌水制御コントローラ３０のＣＰＵは、所定時間の待機を行った後に再度上記判定を実行する。日の出の時刻において上記判定結果が“Ｙｅｓ”である場合には、日の出の時刻に１回目の灌水が実行される。これに対して、日の出の時刻において上記判定結果が“Ｎｏ”である場合には、１回目の灌水は日の出の時刻には実行されず、温度が上記適正温度帯まで上昇するのを待って実行される。
【００２９】
第２のステップＳＡ１１０では、灌水制御コントローラ３０のＣＰＵは、まず、上記適正温度帯を分割して得られる複数の温度帯の各々について、次の灌水タイミングまでの灌水間隔を設定する。より詳細には、灌水制御コントローラ３０のＣＰＵは、日の出から日没までの時間間隔を栽培指針情報に規定されている灌水の頻度に応じて分割して各温度帯の灌水間隔を設定する。本実施形態では、上記適正温度帯は５°Ｃの温度幅を有する４つの温度帯に分割され、これら４つの温度帯の各々について夫々別個の灌水間隔が設定される。
前述したように、栽培指針情報では温度が高い季節ほど灌水の頻度が高く定められているので、高い温度に対応する温度帯ほど灌水間隔が短く設定される。
【００３０】
灌水制御コントローラ３０のＣＰＵは、複数の温度帯の各々の経過時間を気候センサ１０により計測される温度データの表す温度を参照しつつタイマにより計測し、最も早く到来した灌水タイミングに応じて灌水機構２０Ａに灌水を実行させるとともに、タイマをリセットする処理を、日没まで繰り返す。このため、本実施形態においては、温度が高いほど灌水間隔は短くなり、多頻度で灌水が行われる。
【００３１】
例えば、温度が次第に上昇する午前の間は灌水が実行される毎に灌水間隔が次第に短くなって灌水の頻度が高くなる一方、温度が次第に下降する午後の間は灌水間隔が次第に長くなって灌水の頻度が低くなる。つまり、本実施形態の栽培支援システム１Ａは、植物の生育制御理論にしたがって自律的に灌水を実行するＡＩとして機能し、栽培対象の農産物に対する灌水の頻度を温度に応じて調整することが可能になる。このように、本実施形態によれば、気候の変化に的確に対応した灌水を行うことができ、人為的な失敗を削減することができる。その結果、本実施形態によれば、根腐れ又はしおれの発生を回避し、収穫量の減少を防ぐことが可能になる。
【００３２】
栽培支援システム１Ａのユーザは、栽培支援システム１Ａの動作を監督し、潅水時間（換言すれば、１回の潅水量）を微調整することで地域、ハウス毎の栽培条件を調整することができる。なお、栽培支援システム１Ａの灌水機構２０Ａには液肥混入器２１０Ａが含まれていたが、液肥混入器２１０Ａを省略してもよい。また、ハウス内の様々な場所に気温センサ１０を設置した場合に気候センサ１０により計測される温度変化の履歴と一日のうちの灌水起動回数の履歴とを記録し、ユーザの指示に応じて、図３又は図４のようにグラフ化して灌水制御コントローラ３０のユーザインタフェース部に表示させるようにしてもよい。図３は、ハウス内の様々な場所に気温センサ１０を設置した場合に、気温センサ１０により計測される温度変化の履歴の表示例を示す図であり、図３における各グラフ曲線は気温センサ１０の設置場所の相違に対応する。
【００３３】
（Ｂ：第２実施形態）
図５は、本発明の第２実施形態の栽培支援システム１Ｂの構成例を示すブロック図である。図５では、図１におけるものと同じ構成要素には同一の符号が付されている。図５と図１とを比較すれば明らかように、栽培支援システム１Ｂと栽培支援システム１Ａの相違点は以下の２つである。第１に、灌水機構２０Ａに代えて灌水機構２０Ｂを設けた点である。そして、第２に、施肥制御コントローラ４０を設けた点である。また、本実施形態では、栽培指針情報にて、農産物の種類及び培地ＣＦの設けられる地域に応じて、日の出から日没までの間に実行するべき灌水の頻度が季節に応じて規定されており、かつ肥料濃度の最適値が規定されている点が第１実施形態と異なる。
【００３４】
灌水機構２０Ｂは、液肥混入器２１０Ａに代えて液肥混入器２１０Ｂを有する点において灌水機構２０Ａと異なる。液肥混入器２１０Ｂは、水源ＷＳから供給される単位体積当たりの水に対して混入する液肥の量を施肥制御コントローラ４０からの指示に応じて変動させる点において液肥混入器２１０Ａと異なる。
【００３５】
施肥制御コントローラ４０は、灌水制御コントローラ３０と同様にパーソナルコンピュータである。図５に示すように、施肥制御コントローラ４０は、液肥混入器２１０Ｂに接続されているとともに、灌水制御コントローラ３０に接続されている。灌水制御コントローラ３０は栽培支援システム１Ｂに含まれる第１のコントローラの一例であり、施肥制御コントローラ４０は栽培支援システム１Ｂに含まれる第２のコントローラの一例である。施肥制御コントローラ４０には、灌水制御コントローラ３０を介して温度データが与えられる。
【００３６】
施肥制御コントローラ４０は、水源ＷＳから供給される単位体積当たりの水に対して混入する液肥の量を、気候センサ１０により計測される温度データの表す温度に応じて液肥混入器２１０Ｂに指示する。具体的には、施肥制御コントローラ４０は、栽培指針情報にて定められた肥料濃度の最適値を基準とし、気候センサ１０により計測される温度データの表す温度が低い時には肥料濃度を上げ、同温度が高い時には肥料濃度を下げる。なお、温度に応じた肥料濃度の上げ幅及び下げ幅の好適値が栽培指針情報に規定されている場合には、施肥制御コントローラ４０には、栽培指針情報と気候センサ１０により計測される温度とに応じて肥料濃度を増減させるようにすればよい。
【００３７】
本実施形態によれば、栽培対象の農産物に対する灌水の頻度を温度に応じて調整することが可能になることに加えて、栽培対象の農産物に対する施肥を温度に応じて調整することが可能になる。なお、本実施形態では、気候センサ１０により計測される温度に応じて肥料濃度を調整したが、灌水が行われる時間帯に応じて肥料濃度を調整してもよい。具体的には、午前中に実行される灌水の際には肥料濃度を低くし、午後に実行される灌水の際には肥料濃度を高くし、夜間に実行される灌水の際には更に肥料濃度を高くすることが考えられる。このようにすることで、裂果、軟化玉の発生を軽減することができた。また、本実施形態では、灌水制御コントローラ３０と施肥制御コントローラ４０とが各々別個の装置であったが、１つのコントローラに灌水制御コントローラ３０の役割と施肥制御コントローラ４０の役割とを担わせてもよい。
【００３８】
（Ｃ：変形）
以上本発明の各実施形態について説明したが、これら実施形態に以下の変形を加えても勿論よい。
（１）上記各実施形態における灌水制御コントローラ３０は、気候センサ１０により計測される温度データの表す温度に応じて灌水間隔を調整したが、農産物の生育段階（育成期であるか、栽培期であるか）に応じて、灌水間隔又は灌水時間の少なくとも一方を調整してもよい。育苗期の植物は葉数が少なく、多頻度の灌水は必要ないため、育苗期における水のやりすぎは根腐れに直結するからである。具体的には、農産物の葉数の初期値（例えば、栽培開始時の葉数）を灌水制御コントローラ３０に対してユーザに入力させ、以降、灌水制御コントローラ３０は、日毎に、気候センサ１０により計測される温度データの表す温度についての栽培開始からの積算値を算出し、当該積算値に応じた葉数を算出する。そして、灌水制御コントローラ３０は、算出された葉数に応じて灌水間隔又は灌水時間の少なくとも一方を調整する。例えば育苗期には灌水間隔が広くなるように調整する。また、灌水間隔を温度に応じて調整し、灌水時間を葉数に応じて調整してもよい。なお、ユーザが摘葉を行った場合は、葉数を摘葉後の値に手動でユーザに修正させ、以降、灌水制御コントローラ３０には、栽培対象の農産物の葉数を、摘心の行われた時点の葉数に固定させるようにすればよい。
【００３９】
（２）培地ＣＦが露天設置されている場合には、晴天の場合の灌水時間と雨天の場合の灌水時間とをユーザに別箇に設定させてもよい。特に露地栽培の場合には、植物が根を張る培地量が多く、多頻度の灌水は必要ないため、晴天時と雨天時とで同様に灌水を行うと根腐れに直結するからである。また、この場合、雨量を計測する雨量センサを雨センサとして灌水制御コントローラ３０に接続し、雨センサにより計測された雨量に応じて１回当たりの灌水時間、換言すれば一回当たりの灌水量を灌水制御コントローラ３０に調整させるようにしてもよい。また、培地ＣＦがハウス内に設置される場合も、雨の有無を計測する感雨センサを雨センサとして灌水制御コントローラ３０に接続し、雨センサにより計測された雨の有無に応じて、１回当たりの灌水時間灌水制御コントローラ３０に調整させてもよい。
【００４０】
（３）灌水制御コントローラ３０、又は灌水制御コントローラ３０の機能と施肥制御コントローラ４０の機能とを兼ね備えたコントローラを単体で製造し、販売してもよい。また、ＣＰＵなどの一般的なコンピュータを、灌水制御コントローラ３０として機能させるプログラム、又は灌水制御コントローラ３０及び施肥制御コントローラ４０として機能させるプログラムを単体で製造し、販売してもよい。
【００４１】
（４）上記各実施形態では、栽培対象の農産物の種類、栽培する地域及び栽培時期から栽培指針に応じて定まる灌水間隔を一日のうちの温度変化に応じて調整しつつ灌水を行った。しかし、栽培指針の基となる生育制御理論を微調整したい場合には、午前、午後、夜という時間帯毎に潅水回数を増減できるように制御プログラムを作成しておいてもよい。また、栽培環境、栽培状況、収穫量などのデータを正確に入力及び蓄積できるように本発明の栽培支援システムを構築し、多数の栽培支援システムの各々をランダムな数値で駆動させて各システムのデータを収集して機械学習等を行うことにより、新たな生育制御理論に基づくＡＩを作成してもよい。植物の育成には時間がかかるため、１つのシステムでは多くのデータを収集するまでに多大な時間を要するが、複数のシステムを並列に可動させることで、失敗データも含めより多くの有益なデータを短期間に収集し蓄積することが可能になる。
【符号の説明】
【００４２】
１Ａ、１Ｂ…栽培支援システム、１０…気候センサ、２０Ａ、２０Ｂ…灌水機構、２１０Ａ、２１０Ｂ…液肥混入器、２２０…弁、３０…灌水制御コントローラ、４０…施肥制御コントローラ。
【要約】
【課題】少なくとも温度を加味して農産物の栽培支援を行うことを可能にする。
【解決手段】温度が高いほど灌水の頻度が高くなるように定められた栽培指針情報にしたがって灌水機構２０Ａを制御する灌水制御コントローラ３０に、日の出の時刻以降、農産物の育成について予め定められた適正温度帯内の温度が気候センサ１０により計測された時点で１回目の灌水を灌水機構２０Ａに実行させ、適正温度帯を分割して得られる複数の温度帯の各々について次の灌水タイミングまでの灌水間隔を栽培指針情報にしたがって設定させ、各温度帯の経過時間を気候センサ１０により計測される温度を参照しつつタイマにより計測し、最も早く到来した灌水タイミングに応じて灌水機構２０Ａに灌水を実行させるとともに、タイマをリセットする処理を、日没まで繰り返し実行させる。
【選択図】図１【図１】
0006651191.tif 000002
【図２】
0006651191.tif 000003
【図３】
0006651191.tif 000004
【図４】
0006651191.tif 000005
【図５】
0006651191.tif 000006